(57)【要約】      （修正有）【課題】キッチン設計方案の生成方法を提供する。【解決手段】ステップ１）各ブランドの各シリーズ、種類、サイズ、板材のタイプ、扉の造型及び付属品及び各キッチンキャビネットの組み合わせデータ、３Ｄモデルなどのデータを簡単なルールによって簡単なソフトウェアのブランドのデーターベースに導入する。ステップ２）様々なキッチンキャビネットの設計、配置の使用要件をコンピュータの説明言語と関数式に変換する。ステップ３）顧客様のキッチンで配置する必要があるキッチンキャビネットの始点、曲がる点、終点とレンジフード、水槽の位置を決めてキッチンキャビネットの配置エリアを決める。配置始点と終点によってアイランドとカウンターの位置を決める。【選択図】図１
2016058064.tif 000002
【特許請求の範囲】
【請求項１】
キッチン設計方案の生成方法であり、以下のステップ：
ステップ１）、各ブランドの各シリーズ、種類、サイズ、板材のタイプ、扉の造型及び付属品及び各キッチンキャビネットの組み合わせデータ、３Ｄモデルなどのデータを簡単なルールによって簡単なソフトウェアの該ブランドのデーターベースに導入する。
ステップ２）、様々なキッチンキャビネットの設計、配置の使用要件をコンピュータの説明言語と関数式に変換する。
ステップ３）、顧客様のキッチンで配置する必要があるキッチンキャビネットの始点、曲がる点、終点とレンジフード、水槽の位置を決めてキッチンキャビネットの配置エリアを決める。配置始点と終点によってアイランドとカウンターの位置を決める。本発明は、使用者の設計上の需要により、簡単なシステムにて各シリーズの最適な設計や配置を求め、且つ２Ｄインタフェースに表示することができる。
ステップ４）、異なるシリーズと名称を選択する時に、直ちに計算された該シリーズの最適設計や配置を呼び出し、且つすぐに三次元に変換することができる。お客様は、簡単に各シリーズのキッチンキャビネットは自分の家に現れる立体的イメージを比較することができる。
ステップ５）、本方法のデーター保存量が比較的小さいので、世界における簡単なキッチンキャビネットソフトウェアを持つコンピュータに送信することができる。それにより、簡単に更新された様々なキッチンキャビネットシリーズ、設計スタイルを伝送することができる。
を含むことを特徴とするキッチン設計方案の生成方法。
【請求項２】
請求項１に記載されたキッチン設計方案の生成方法であって、データーベースに導入する内容は、キッチンキャビネットの種類、キッチンキャビネットのサイズ、キッチンキャビネットの板材のタイプ、キッチンキャビネットの扉の造型、キッチンキャビネットの付属品を含む、キッチン設計方案の生成方法。
【請求項３】
請求項２に記載されたキッチン設計方案の生成方法であって、キッチンキャビネットの種類は、フロアキャビネット、ハングキャビネット、中型キャビネット、中高型キャビネット、全高型キャビネットなどを含み；キッチンキャビネットのサイズは、１００、３００、４００、４５０、５００、６００、８００、９００、１０００などを含み；キッチンキャビネットの板材の種類は、実木板、プラスチック製板、塗装板、ＥＧＧＥＲ板、フェーシング板、ステンレス板、成形板、防火板などを含み；キッチンキャビネットの扉の造型は、平板、弧状板、スロット付き板、ガラス板、内蔵板などを含み；キッチンキャビネットの付属品は、ヒンジ、引き出しスライド、支持体、取っ手、籠、幅木、ローマカラム、側面封止板、トップライン、トリムストリップ、たらい、蛇口、スポットライトなどを含む、キッチン設計方案の生成方法。
【請求項４】
請求項１に記載されたキッチン設計方案の生成方法であって、様々なキッチンキャビネットの設計、配置の使用要件をコンピュータの説明言語と関数式に変換することは、各ブランドの様々なタイプのキッチンキャビネットの設計規範、設計内容と使用ルールをデーターベースに入力し、そしてコンピューターの説明言語と関数式に変換することである、キッチン設計方案の生成方法。
【請求項５】
請求項１に記載されたキッチン設計方案の生成方法であって、キッチンキャビネットの始点、曲がる点、終点とレンジフード、水槽の位置の配置方法では、キッチンキャビネットのウォールラインに沿ってウォールの任意の点でクリックし、順序によって始点、曲がる点、終点の位置を標識し、そして始点、曲がる点、終点位置を標識したエリアでキッチンキャビネットのウォールラインに沿ってレンジフードと水槽の位置をクリックする、キッチン設計方案の生成方法。
【請求項６】
請求項１に記載されたキッチン設計方案の生成方法であって、キッチンキャビネットの始点、曲がる点、終点とレンジフード、水槽の位置を配置した後、コンピュータはこれら点によってキッチンキャビネットの地域を決め、そしてデーターベースに計算し；一般的に、キッチンキャビネットのエリアにおいて、生活上のニーズを満たす情況の下で、エリア全体にキッチンキャビネットを配置する必要があるが、データにおけるキャビネットの数量が巨大である一方で、コンピュータなら、顧客様の生活上のニーズに合わせた各シリーズのキッチンキャビネット設計や配置を計算することができ、人工で実施すれば、長い時間を費やすだけでなく、必ずしも最適な組み合わせではない、キッチン設計方案の生成方法。
【請求項７】
請求項１に記載されたキッチン設計方案の生成方法であって、異なるシリーズのモデルルームの名称と写真を選択するのは、各シリーズのキッチンキャビネット（実木、内蔵式など）は、異なる寸法、形状、機能によって組み合わせたものであり（ハングキャビネットは両開きハングキャビネット、片上開きハングキャビネット、両上開きハングキャビネットなどと組み合わせ、フロアキャビネットは、両開きフロアキャビネット、両引き出し付きフロアキャビネット、三引き出し付きフロアキャビネットと組み合わせ）、コンピューターの計算能力を活用して異なるシリーズの最適な組み合わせの配置を一括に算出し、バックグラウンドに保管し、そしてモデルルームの写真にて表示し、使用者は写真を見て選択することができる、キッチン設計方案の生成方法。
【請求項８】
請求項１に記載されたキッチン設計方案の生成方法であって、本方法の保存したデーター量が比較的少ないということは、データー量が巨大であるキッチンキャビネットは、簡単なソフトウェアにただ名称と寸法、組み合わせた板の数量及び含んでいる付属品を記録しており；コンピュータにて計算された配置設計を呼び出し、且つ立体的に表示する場合、実際に三次元シーンにおいて上記のルールによって板材を再度延伸、組み合わせ、簡単なルールによって再度３Ｄモデルを生成し、さらに三次元効果を呈することであり、従って、データー量が少ない、キッチン設計方案の生成方法。
【発明の詳細な説明】
【技術分野】
【０００１】
本発明は、キッチン設計方案の生成方法に関する。
【背景技術】
【０００２】
キッチンキャビネット業界のソフトウェアにおいて、設計のほとんどは、オーナーの要件及び個人の経験によってソフトウェアに手動でキッチンキャビネットを一つずつ配置するのは現状である。このやり方では、比較的長い時間を費やすだけでなく、必ずしも最適なキッチンキャビネット組み合わせ方案ではない。また、オーナーに対し、短時間内で急速にキッチンキャビネットの展示効果を提供することができず、異なるシリーズ間の切り替えは比較的面倒である。
【発明の概要】
【発明が解決しようとする課題】
【０００３】
本発明は、キッチン設計方案の生成方法を開発する。本発明は、２Ｄ平面に第一と第二標識の位置を設定することにより、急速に新しい間取りにおけるキッチン設計方案を生成し、手動調整方法による時間のかかる問題を解決しながら、すぐに３Ｄシーンに装飾方案を展示し、キッチンキャビネットデザイナーの実現したい三次元効果を適時且つ正確に表現し、設計と実際の装飾に元素設置上の偏差などを解決する。
【課題を解決するための手段】
【０００４】
本発明の提供する技術方案は以下である。
【０００５】
キッチン設計方案の生成方法であり、以下の方法を含む。
【０００６】
ステップ１）各ブランドの各シリーズ、種類、サイズ、板材のタイプ、扉の造型及び付属品及び各キッチンキャビネットの組み合わせデータ、３Ｄモデルなどのデータを簡単なルールによって簡単なソフトウェアの該ブランドのデーターベースに導入する。
【０００７】
ステップ２）様々なキッチンキャビネットの設計、配置の使用要件をコンピュータの説明言語と関数式に変換する。
【０００８】
ステップ３）顧客様のキッチンで配置する必要があるキッチンキャビネットの始点、曲がる点、終点とレンジフード、水槽の位置を決めてキッチンキャビネットの配置エリアを決める。配置始点と終点によってアイランドとカウンターの位置を決める。本発明は、使用者の設計上の需要により、簡単なシステムにて各シリーズの最適な設計や配置を求め、且つ２Ｄインタフェースに表示することができる。
【０００９】
ステップ４）異なるシリーズと名称を選択する時に、直ちに計算された該シリーズの最適設計や配置を呼び出し、且つすぐに三次元に変換することができる。お客様は、簡単に各シリーズのキッチンキャビネットは自分の家に現れる立体的イメージを比較することができる。
【００１０】
ステップ５）本方法のデーター保存量が比較的小さいので、世界における簡単なキッチンキャビネットソフトウェアを持つコンピュータに送信することができる。それにより、簡単に更新された様々なキッチンキャビネットシリーズ、設計スタイルを伝送することができる。
【００１１】
好ましいのは、キッチン設計方案の生成方法において、データーベースに導入する内容は、以下を含む：キッチンキャビネットの種類、キッチンキャビネットのサイズ、キッチンキャビネットの板材のタイプ、キッチンキャビネットの扉の造型、キッチンキャビネットの付属品。
【００１２】
好ましいのは、キッチン設計方案の生成方法において、キッチンキャビネットの種類は、以下を含む：フロアキャビネット、ハングキャビネット、中型キャビネット、中高型キャビネット、全高型キャビネットなど。キッチンキャビネットのサイズは以下を含む：１００、３００、４００、４５０、５００、６００、８００、９００、１０００など。キッチンキャビネットの板材の種類は、実木板、プラスチック製板、塗装板、ＥＧＧＥＲ板、フェーシング板、ステンレス板、成形板、防火板など。キッチンキャビネットの扉の造型は、以下を含む：平板、弧状板、スロット付き板、ガラス板、内蔵板など。キッチンキャビネットの付属品は、以下を含む：ヒンジ、引き出しスライド、支持体、取っ手、籠、幅木、ローマカラム、側面封止板、トップライン、トリムストリップ、たらい、蛇口、スポットライトなど。
【００１３】
好ましいのは、キッチン設計方案の生成方法において、様々なキッチンキャビネットの設計、配置の使用要件をコンピュータの説明言語と関数式に変換することは、各ブランドの様々なタイプのキッチンキャビネットの設計規範、設計内容と使用ルールをデーターベースに入力し、そしてコンピューターの説明言語と関数式に変換することである。
【００１４】
好ましいのは、キッチン設計方案の生成方法において、キッチンキャビネットの始点、曲がる点、終点とレンジフード、水槽の位置の配置方法では、キッチンキャビネットのウォールラインに沿ってウォールの任意の点でクリックし、順序によって始点、曲がる点、終点の位置を標識し、そして始点、曲がる点、終点位置を標識したエリアでキッチンキャビネットのウォールラインに沿ってレンジフードと水槽の位置をクリックする。
【００１５】
好ましいのは、キッチン設計方案の生成方法において、キッチンキャビネットの始点、曲がる点、終点とレンジフード、水槽の位置を配置した後、コンピュータはこれら点によってキッチンキャビネットの地域を決め、そしてデーターベースに計算する。一般的に、キッチンキャビネットのエリアにおいて、生活上のニーズを満たす情況の下で、エリア全体にキッチンキャビネットを配置する必要がある。しかし、データにおけるキャビネットの数量が巨大である。コンピュータなら、顧客様の生活上のニーズに合わせた各シリーズのキッチンキャビネット設計や配置を計算することができる。人工で実施すれば、長い時間を費やすだけでなく、必ずしも最適な組み合わせではない。
【００１６】
好ましいのは、キッチン設計方案の生成方法において、異なるシリーズのモデルルームの名称と写真を選択するのは、各シリーズのキッチンキャビネット（実木、内蔵式など）は、異なる寸法、形状、機能によって組み合わせたものであり（ハングキャビネットは両開きハングキャビネット、片上開きハングキャビネット、両上開きハングキャビネットなどと組み合わせ、フロアキャビネットは、両開きフロアキャビネット、両引き出し付きフロアキャビネット、三引き出し付きフロアキャビネットと組み合わせ）、コンピューターの計算能力を活用して異なるシリーズの最適な組み合わせの配置を一括に算出し、バックグラウンドに保管し、そしてモデルルームの写真にて表示し、使用者は写真を見て選択することができる。
【００１７】
本発明の有利な効果は、以下の通りである。
【００１８】
本発明は、キッチンキャビネットの名称と寸法、組み合わせた板の数量及び含んでいる付属品を記録している。３Ｄシーンに装飾シーンの配置設計を展示する時に、実際に三次元シーンにおいて、データーベースに記録されているデーター情報によって板材とキッチンキャビネットなどを再度延伸、組み合わせ、さらに３Ｄモデルを生成して三次元効果を呈することであり、データー量が少ない。
【００１９】
本発明は、変化された顧客様の家の様々な新しいシーンにおいて、コンピューターにて前の設計を新しいシーンに関数式を新しいシーンに相応しい三次元形態に転換することができる。
【００２０】
本発明の保存するデーター量が比較的少ないので、簡単に世界の各地に伝送するか、様々なキッチンキャビネットシリーズを適時且つ急速に更新し、様々な設計スタイルを更新することができる。
【図面の簡単な説明】
【００２１】
【図１】本発明が異なる間取りに基づいて配置するキッチンキャビネットの始点、曲がる点、終点、レンジフード、水槽の位置により決められたキッチンキャビネットの配置エリアである。且つキッチンキャビネットの平面を２Ｄインターフェースにて表示する。
【図２】本発明の自動車塗装シリーズ名称を選択したとたんに、計算された該シリーズの最適な設計を呼び出し、すぐに三次元形態に転換することができる。
【図３】本発明のＥＧＧＥＲ板シリーズ名称を選択したとたんに、計算された該シリーズの最適な設計を呼び出し、すぐに三次元形態に転換することができる。
【図４】本発明のキッチンの床におけるタイル張り概略図である。
【図５】本発明のキッチンのウォールにおけるタイル張り概略図である。
【発明を実施するための形態】
【００２２】
本業界の技術員は、説明書を参考して実施することができるよう図面と合わせて本発明をより詳しく説明する。
【００２３】
図１に示しているように、キッチンにおいて間取りの走向に沿ってキッチンキャビネットラインを決め、キッチンキャビネットの配置エリアを決め、配置するキッチンキャビネットの始点、曲がる点、終点と炊事用具、水槽の位置を決める、その後、図１に示しているように、灰色の点にてキッチンキャビネットの始点、曲がる点と終点とし、図１に示しているように、黒の点にて炊事用具と水槽の位置標識とし、炊事用具の点にかまどキャビネットを設置し、水槽の点に水槽キャビネットを設置する。他の位置に一般的なキャビネットを設置する。アイランドとカウンターを設置する場合、配置の始点と終点を決め、適切な寸法を選択するだけで良い。キッチンキャビネットの配置手順は、以下の通りである。
【００２４】
一、一文字キッチンキャビネットを配置する、図１に示しているように、キッチンにおいて、灰色の点にて間取りの走向に沿ってキッチンキャビネットの始点、終点を配置し、そして始点と終点の間にあるウォールラインに黒の点にて炊事用具の点と水槽点を配置する。その前にクリックした始点、終点、炊事用具の点、水槽点の位置により、システムは、自動的にキッチンキャビネット設計に基づいて炊事用具キャビネット、水槽キャビネット及び他のキャビネットを一括に２Ｄ平面間取りに標準且つ合理的に配置し、一文字キッチンキャビネット２Ｄ平面画像を実現する。
【００２５】
二、Ｌ文字キッチンキャビネットを配置する、図１に示しているように、キッチンにおいて、灰色の点にて間取りの走向に沿ってキッチンキャビネットの始点、曲がる点、終点を配置し、そして始点、曲がる点、終点の間にあるウォールラインに黒の点にて炊事用具の点と水槽点を配置する。その前にクリックした始点、終点、炊事用具の点、水槽点の位置により、システムは、自動的にキッチンキャビネット設計に基づいて炊事用具キャビネット、水槽キャビネット及び他のキャビネットを一括に２Ｄ平面間取りに標準且つ合理的に配置し、Ｌ文字キッチンキャビネット２Ｄ平面画像を実現する。
【００２６】
三、Ｕ文字キッチンキャビネットを配置する、図１に示しているように、キッチンにおいて、灰色の点にて間取りの走向に沿ってキッチンキャビネットの始点、曲がる点、第二曲がる点、終点を配置し、そして始点、曲がる点、第二曲がる点、終点の間にあるウォールラインに黒の点にて炊事用具の点と水槽点を配置する。その前にクリックした始点、終点、炊事用具の点、水槽点の位置により、システムは、自動的にキッチンキャビネット設計に基づいて炊事用具キャビネット、水槽キャビネット及び他のキャビネットを一括に２Ｄ平面間取りに標準且つ合理的に配置し、Ｕ文字キッチンキャビネット２Ｄ平面画像を実現する。
【００２７】
四、二文字キッチンキャビネットを配置する、図１に示しているように、キッチンにおいて、灰色の点にて間取りの走向に沿ってキッチンキャビネットの始点、終点を配置し、そしてキッチンにおいて間取りの走向の他側に沿ってキッチンキャビネットの始点と終点を配置する。そして二つの始点、終点のウォールラインに黒の点にて炊事用具の点と水槽点を配置する。その前にクリックした始点、終点、炊事用具の点、水槽点の位置により、システムは、自動的にキッチンキャビネット設計に基づいて炊事用具キャビネット、水槽キャビネット及び他のキャビネットを一括に２Ｄ平面間取りに標準且つ合理的に配置し、二文字キッチンキャビネット２Ｄ平面画像を実現する。
【００２８】
図２、図３に示しているように、各シリーズのキッチンキャビネット（実木、内蔵式など）は、異なる寸法、形状、機能によって組み合わせたものであり（ハングキャビネットは両開きハングキャビネット、片上開きハングキャビネット、両上開きハングキャビネットなどと組み合わせ、フロアキャビネットは、両開きフロアキャビネット、両引き出し付きフロアキャビネット、三引き出し付きフロアキャビネットと組み合わせ）、コンピューターの計算能力を活用して異なるシリーズの最適な組み合わせの配置を一括に算出し、バックグラウンドに保管することができる、異なるシリーズと名称を選択する時に、直ちに計算された該シリーズの最適設計や配置を呼び出し、且つすぐに三次元に変換することができる。お客様は、簡単に各シリーズのキッチンキャビネットは自分の家に現れる立体的イメージを比較することができる。
【００２９】
図４に示しているように、お客様のキッチンにキッチンキャビネットを配置すると、床のタイルを張る、例えばボーダーラインの張りなど、コンピューターにて自動的にキッチンキャビネットのサイズによってキッチンキャビネットをめぐって張ることができる。それにボーダーライン中心エリアの造型等分したタイル張りなど。オーナーのニーズにより、コンピューターにて彼の望んでいる効果を等分することができる。
【００３０】
図５に示しているように、お客様にキッチンにウォールのタイル張りを行う、例えばウェストタイル、模様付きタイルの張りなど、コンピューターにて自動的にキッチンキャビネットのサイズによってキッチンキャビネットエリアだけで張ることができる。
【００３１】
上記のように本発明の実施例を示したが、単に説明書と実施例に限定されるものではない、本発明は、完全に本発明に適する様々な分野に適する、本分野を熟知している人間に対し、簡単に修正することができる、そのため、本発明の特許請求及び同等範囲に限定された一般的な概念を逸脱しない前提の下で、本発明は、特定の詳細とここで表示・説明した図例に限定しない。
【図１】
2016058064.tif 000003
【図２】
2016058064.tif 000004
【図３】
2016058064.tif 000005
【図４】
2016058064.tif 000006
【図５】
2016058064.tif 000007
【外国語明細書】
2016058064000001.pdf